(57)【特許請求の範囲】
【請求項１】
タッチパネルと記憶部と制御部とを少なくとも備え、
上記制御部は、
ユーザが入力可能なテキスト入力域を含む画面領域を上記タッチパネルに表示させる画面表示手段と、
上記タッチパネルを介して上記タッチパネルのキーボード画面表示予定位置に表示された上記テキスト入力域が上記ユーザにより選択操作された場合、上記テキスト入力域と上記キーボード画面表示予定位置とが重ならない方向および画面移動量を計算し、当該方向および当該画面移動量に合わせて当該選択操作された上記テキスト入力域を含む上記画面領域の一部が上記タッチパネルの上端側に配置され、キーボード画面が上記タッチパネルの下端側に配置されるように、且つ、それぞれが配置される表示領域の遷移状態が連続的に表示されるようにするせり上がり表示で、それぞれ移動表示させるキーボード表示手段と、
を備えたことを特徴とする、画像読取装置。
【請求項２】
上記画面領域は、
当該画面領域を複数に分割した分割画面領域から構成され、
上記画面領域の一部は、
上記分割画面領域であることを特徴とする、請求項１に記載の画像読取装置。
【請求項３】
上記キーボード表示手段は、
上記タッチパネルを介して上記テキスト入力域が上記ユーザにより選択操作された場合、当該選択操作された上記テキスト入力域を含む上記画面領域の一部と、半透明表示した上記キーボード画面と、を上記タッチパネルに表示させることを特徴とする、請求項１または２に記載の画像読取装置。
【請求項４】
タッチパネルと記憶部と制御部とを少なくとも備えた画像読取装置の上記制御部において実行される、
ユーザが入力可能なテキスト入力域を含む画面領域を上記タッチパネルに表示させる画面表示ステップと、
上記タッチパネルを介して上記タッチパネルのキーボード画面表示予定位置に表示された上記テキスト入力域が上記ユーザにより選択操作された場合、上記テキスト入力域と上記キーボード画面表示予定位置とが重ならない方向および画面移動量を計算し、当該方向および当該画面移動量に合わせて当該選択操作された上記テキスト入力域を含む上記画面領域の一部が上記タッチパネルの上端側に配置され、キーボード画面が上記タッチパネルの下端側に配置されるように、且つ、それぞれが配置される表示領域の遷移状態が連続的に表示されるようにするせり上がり表示で、それぞれ移動表示させるキーボード表示ステップと、
を含むことを特徴とする、画像処理方法。
【請求項５】
タッチパネルと記憶部と制御部とを少なくとも備えた画像読取装置の上記制御部において、
ユーザが入力可能なテキスト入力域を含む画面領域を上記タッチパネルに表示させる画面表示ステップと、
上記タッチパネルを介して上記タッチパネルのキーボード画面表示予定位置に表示された上記テキスト入力域が上記ユーザにより選択操作された場合、上記テキスト入力域と上記キーボード画面表示予定位置とが重ならない方向および画面移動量を計算し、当該方向および当該画面移動量に合わせて当該選択操作された上記テキスト入力域を含む上記画面領域の一部が上記タッチパネルの上端側に配置され、キーボード画面が上記タッチパネルの下端側に配置されるように、且つ、それぞれが配置される表示領域の遷移状態が連続的に表示されるようにするせり上がり表示で、それぞれ移動表示させるキーボード表示ステップと、
を実行させるためのプログラム。
【発明の詳細な説明】
【技術分野】
【０００１】
本発明は、画像読取装置、画像処理方法、および、プログラムに関する。
【背景技術】
【０００２】
従来の画像処理装置においては、文字列入力の際にタッチパネルにソフトウェアキーボードを入力時を前提にした画面レイアウトで表示し、そこからユーザに文字列入力をさせるものがある。
【０００３】
例えば、特許文献１に記載の画像形成装置では、指定された文字入力部の位置を取得してＬＣＤの画面上の文字入力部の表示を妨げない位置に仮想キーボードを表示するように設定する技術が開示されている。
【０００４】
また、特許文献２に記載の電子ファイル装置では、ボックスを選択した後、ボックス確認ウインドウ内の「ボックス名を付ける、変える」を選択したときの画面において、画面の下部にソフトキーボードウインドウを表示させる技術が開示されている。
【０００５】
また、特許文献３に記載のネットワークスキャナ装置では、ファイルフォーマット指定画面においてファイル名入力指示ボタンを操作することで、ファイル名入力画面を読取条件指定画面上にポップアップ表示させる技術が開示されている。
【０００６】
また、従来の一般的な画像処理装置では、表示画面にフィールドの区分けを行わず、所定の位置にソフトウェアキーボードを重畳表示し、ユーザによる入力操作等によりそれぞれの入力フィールドへフォーカスが移動するごとに、入力フィールドを中央にレイアウトするように画面をスクロール等させて再表示を行っている。
【先行技術文献】
【特許文献】
【０００７】
【特許文献１】特開平１１−１３３８１６号公報
【特許文献２】特開平６−１１９３９３号公報
【特許文献３】特許第４２７２０１５号公報
【発明の概要】
【発明が解決しようとする課題】
【０００８】
しかしながら、従来の画像処理装置（特許文献１乃至特許文献３等）においては、文字入力対象領域（テキスト入力域）および入力操作可能なキーボード画面を同時に表示する際にユーザが入力し易い表示にすることができないという問題点を有していた。
【０００９】
また、従来の画像処理装置においては、入力フィールドが移動するごとに画面が切り替わって再表示されることとなるため、画面がちらついて表示されて、ユーザにとって非常に見にくくなるという問題点を有していた。
【００１０】
本発明は、上記問題点に鑑みてなされたもので、テキスト入力域をユーザが視認できる位置に表示させながら、ソフトウェアキーボード画面を適切な位置に表示させることができる画像読取装置、画像処理方法、および、プログラムを提供することを目的とする。
【課題を解決するための手段】
【００１１】
このような目的を達成するため、本発明の画像読取装置は、タッチパネルと記憶部と制御部とを少なくとも備え、上記制御部は、ユーザが入力可能なテキスト入力域を含む画面領域を上記タッチパネルに表示させる画面表示手段と、上記タッチパネルを介して上記テキスト入力域が上記ユーザにより選択操作された場合、当該選択操作された上記テキスト入力域を含む上記画面領域の一部と、キーボード画面と、を少なくとも上記タッチパネルに表示させるキーボード表示手段と、を備えたことを特徴とする。
【００１２】
また、本発明の画像読取装置は、上記記載の画像読取装置において、上記画面領域は、当該画面領域を複数に分割した分割画面領域から構成され、上記画面領域の一部は、上記分割画面領域であることを特徴とする。
【００１３】
また、本発明の画像読取装置は、上記記載の画像読取装置において、上記キーボード表示手段は、上記タッチパネルを介して上記テキスト入力域が上記ユーザにより選択操作された場合、当該選択操作された上記テキスト入力域を含む上記画面領域の一部を上記タッチパネルの上端側に、上記キーボード画面を上記タッチパネルの下端側に、並べて表示させることを特徴とする。
【００１４】
また、本発明の画像読取装置は、上記記載の画像読取装置において、上記キーボード表示手段は、上記タッチパネルを介して上記テキスト入力域が上記ユーザにより選択操作された場合、当該選択操作された上記テキスト入力域を含む上記画面領域の一部および上記キーボード画面を、上記タッチパネルのそれぞれの所定の表示領域に配置されるまで、それぞれの上記表示領域の遷移状態が連続的に表示されるようにするせり上がり表示で表示させることを特徴とする。
【００１５】
また、本発明の画像読取装置は、上記記載の画像読取装置において、上記キーボード表示手段は、上記タッチパネルを介して上記テキスト入力域が上記ユーザにより選択操作された場合、当該選択操作された上記テキスト入力域を含む上記画面領域の一部と、半透明表示した上記キーボード画面と、を上記タッチパネルに表示させることを特徴とする。
【００１６】
また、本発明の画像処理方法は、タッチパネルと記憶部と制御部とを少なくとも備えた画像読取装置の上記制御部において実行される、ユーザが入力可能なテキスト入力域を含む画面領域を上記タッチパネルに表示させる画面表示ステップと、上記タッチパネルを介して上記テキスト入力域が上記ユーザにより選択操作された場合、当該選択操作された上記テキスト入力域を含む上記画面領域の一部と、キーボード画面と、を少なくとも上記タッチパネルに表示させるキーボード表示ステップと、を含むことを特徴とする。
【００１７】
また、本発明のプログラムは、タッチパネルと記憶部と制御部とを少なくとも備えた画像読取装置の上記制御部において、ユーザが入力可能なテキスト入力域を含む画面領域を上記タッチパネルに表示させる画面表示ステップと、上記タッチパネルを介して上記テキスト入力域が上記ユーザにより選択操作された場合、当該選択操作された上記テキスト入力域を含む上記画面領域の一部と、キーボード画面と、を少なくとも上記タッチパネルに表示させるキーボード表示ステップと、を実行させることを特徴とする。
【発明の効果】
【００１８】
この発明によれば、ユーザが入力可能なテキスト入力域を含む画面領域をタッチパネルに表示させ、タッチパネルを介してテキスト入力域がユーザにより選択操作された場合、当該選択操作されたテキスト入力域を含む画面領域の一部と、キーボード画面と、を少なくともタッチパネルに表示させるので、画面をちらつきなく表示させることができ、ユーザに自分の入力しようとしていた部分を視認可能に表示させた状態でキーボード操作へスムーズに移行させることができるという効果を奏する。
【００１９】
また、この発明によれば、画面領域は、当該画面領域を複数に分割した分割画面領域から構成され、画面領域の一部は、分割画面領域であるので、タッチパネルに表示される画面に区分けを設けることで、ユーザがソフトウェアキーボードを用いてテキスト入力域を操作する際に、当該テキスト入力域がソフトウェアキーボードの裏側に隠れてしまわないように、当該画面の区分けに応じた画面表示をさせることができるという効果を奏する。
【００２０】
また、この発明によれば、タッチパネルを介してテキスト入力域がユーザにより選択操作された場合、当該選択操作されたテキスト入力域を含む画面領域の一部をタッチパネルの上端側に、キーボード画面をタッチパネルの下端側に、並べて表示させるので、文字入力専用のレイアウトの画面に切り替わることがなくなるので、どこに何の目的で文字を入力するのか把握しやすくなるという効果を奏する。
【００２１】
また、この発明によれば、タッチパネルを介してテキスト入力域がユーザにより選択操作された場合、当該選択操作されたテキスト入力域を含む画面領域の一部およびキーボード画面を、タッチパネルのそれぞれの所定の表示領域に配置されるまで、それぞれの表示領域の遷移状態が連続的に表示されるようにするせり上がり表示で表示させるので、画面領域の表示が瞬時に切り替わって変更される場合と違い、ユーザが画面の遷移を確認しながらテキスト入力域の画面領域中の位置を把握することができるという効果を奏する。また、この発明によれば、フィールドの区分けを設け、そのフィールドの区分けに応じた形式でソフトウェアキーボードを前述したせり上がり表示で表示するので、画面のちらつきを防止することができるという効果を奏する。
【００２２】
また、この発明によれば、タッチパネルを介してテキスト入力域がユーザにより選択操作された場合、当該選択操作されたテキスト入力域を含む画面領域の一部と、半透明表示したキーボード画面と、をタッチパネルに表示させるので、キーボードを半透明に表示し、文字列入力箇所とキーボードが重なって表示される場合でも重なった文字列入力箇所への入力を確認しながら文字列入力することができるという効果を奏する。
【図面の簡単な説明】
【００２３】
【図１】図１は、本実施の形態の基本原理を示すフローチャートである。
【図２】図２は、本実施の形態が適用される画像読取装置の構成の一例を示すブロック図である。
【図３】図３は、本実施の形態における画像読取装置の処理の一例を示すフローチャートである。
【図４】図４は、本実施形態における表示画面の一例を示す図である。
【図５】図５は、本実施形態における表示画面の一例を示す図である。
【図６】図６は、本実施の形態における画面領域のフィールド区画の一例を示す概念図である。
【図７】図７は、本実施の形態におけるテキスト入力域の座標域に対応する表示領域の一例を示す図である。
【図８】図８は、本実施形態における表示画面の一例を示す図である。
【図９】図９は、本実施形態における表示画面の一例を示す図である。
【図１０】図１０は、本実施の形態における画像読取装置の処理の一例を示すフローチャートである。
【図１１】図１１は、本実施形態における表示画面の一例を示す図である。
【図１２】図１２は、本実施形態における表示画面の一例を示す図である。
【図１３】図１３は、本実施形態における表示画面の一例を示す図である。
【発明を実施するための形態】
【００２４】
以下に、本発明にかかる画像読取装置、画像処理方法、および、プログラムの実施の形態を図面に基づいて詳細に説明する。なお、この実施の形態によりこの発明が限定されるものではない。
【００２５】
［本発明の実施の形態の概要］
以下、本発明の実施の形態の概要について図１を参照して説明し、その後、本実施の形態の構成および処理等について詳細に説明する。図１は、本実施の形態の基本原理を示すフローチャートである。
【００２６】
本実施の形態は、概略的に、以下の基本的特徴を有する。すなわち、本実施の形態の画像読取装置の制御部は、図１に示すように、ユーザが入力可能なテキスト入力域を含む画面領域をタッチパネルに表示させる（ステップＳＡ−１）。
【００２７】
そして、本画像読取装置の制御部は、タッチパネルを介してテキスト入力域がユーザにより選択操作された場合、当該選択操作されたテキスト入力域を含む画面領域の一部と、キーボード画面と、を少なくともタッチパネルに表示させる（ステップＳＡ−２）。
【００２８】
以上で、本発明の実施の形態の概要の説明を終える。
【００２９】
［画像読取装置１００の構成］
次に、本画像読取装置１００の構成について図２を参照して説明する。図２は、本実施の形態が適用される画像読取装置１００の構成の一例を示すブロック図であり、該構成のうち本実施の形態に関係する部分のみを概念的に示している。
【００３０】
図２において画像読取装置１００は、概略的に、制御部１０２と入出力制御インターフェース部１０８と記憶部１０６と画像読取部１１２とタッチパネル１１４とを備える。ここで、制御部１０２は、画像読取装置１００の全体を統括的に制御するＣＰＵ等である。また、入出力制御インターフェース部１０８は、画像読取部１１２やタッチパネル１１４に接続されるインターフェースである。また、記憶部１０６は、各種のデータベースやテーブルなどを格納する装置である。これら画像読取装置１００の各部は任意の通信路を介して通信可能に接続されている。更に、この画像読取装置１００は、ルータ等の通信装置および専用線等の有線または無線の通信回線を介して、ネットワークに通信可能に接続されていてもよい。
【００３１】
記憶部１０６に格納される各種のデータベースやテーブル（保存場所情報記憶部１０６ａ）は、固定ディスク装置等のストレージ手段である。例えば、記憶部１０６は、各種処理に用いる各種のプログラム、テーブル、ファイル、データベース、および、ウェブページ等を格納する。
【００３２】
これら記憶部１０６の各構成要素のうち、保存場所情報記憶部１０６ａは、画像読取部１１２にて読み取られた原稿の画像ファイルの保存場所に関する保存場所情報を記憶する保存場所情報記憶手段である。ここで、保存場所とは、コンピュータ上でファイル等のデータを分類および整理するための場所であり、例えば、ドロア、バインダ、ディレクトリ、および、フォルダ等であってもよい。
【００３３】
また、図２において、入出力制御インターフェース部１０８は、画像読取部１１２やタッチパネル１１４の制御を行う。ここで、画像読取部１１２としては、スキャナ、デジタルカメラ、および、ＷＥＢカメラ等を用いることができる。
【００３４】
また、図２において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、画面表示部１０２ａ、キーボード表示部１０２ｂ、および、テキスト入力域更新部１０２ｃを備える。
【００３５】
このうち、画面表示部１０２ａは、ユーザが入力可能なテキスト入力域を含む画面領域をタッチパネル１１４に表示させる画面表示手段である。ここで、当該画面領域は、当該画面領域を複数に分割した分割画面領域から構成されていてもよい。また、画面領域の一部は、分割画面領域であってもよい。また、分割画面領域は、組込み機器などのように、画面表示領域が小さい装置において、画面領域を上端帯、中央帯、および、下端帯の３つの表示区画に区分けして設定されてもよい。つまり、画面表示部１０２ａは、ユーザが入力可能なテキスト入力域を含む画面領域の一部（分割画面領域）をタッチパネル１１４に表示させてもよい。
【００３６】
また、キーボード表示部１０２ｂは、タッチパネル１１４を介してテキスト入力域がユーザにより選択操作された場合、当該選択操作されたテキスト入力域を含む画面領域の一部と、キーボード画面と、を少なくともタッチパネル１１４に表示させるキーボード表示手段である。ここで、キーボード表示部１０２ｂは、タッチパネル１１４を介してテキスト入力域がユーザにより選択操作された場合、当該選択操作されたテキスト入力域を含む画面領域の一部をタッチパネル１１４の上端側に、キーボード画面をタッチパネル１１４の下端側に、並べて表示させてもよい。また、キーボード表示部１０２ｂは、タッチパネル１１４を介してテキスト入力域がユーザにより選択操作された場合、当該選択操作されたテキスト入力域を含む画面領域の一部をタッチパネル１１４の上端側に表示させ、かつ、キーボード画面をタッチパネル１１４の下端側に並べて表示させ、その過程はそれぞれの画面領域が所定の位置に配置されるまで、それぞれの画面領域の遷移状態を連続的に表示させることであってもよい。また、キーボード表示部１０２ｂは、タッチパネル１１４を介してテキスト入力域がユーザにより選択操作された場合、当該選択操作されたテキスト入力域を含む画面領域の一部と、半透明表示したキーボード画面と、をタッチパネル１１４に表示させてもよい。
【００３７】
また、テキスト入力域更新部１０２ｃは、タッチパネル１１４を介してキーボード画面を用いて文字情報が入力された場合、テキスト入力域の表示を当該文字情報に更新するテキスト入力域更新手段である。
【００３８】
以上で、本画像読取装置１００の構成の説明を終える。
【００３９】
［画像読取装置１００の処理］
次に、このように構成された本実施の形態における本画像読取装置１００の処理の一例について、以下に図３乃至図１３を参照して詳細に説明する。
【００４０】
［処理１］
最初に、本実施の形態の画像ファイルの電子メール送信時における本画像読取装置１００の処理の一例について、以下に図３乃至図９を参照して詳細に説明する。図３は、本実施の形態における画像読取装置１００の処理の一例を示すフローチャートである。
【００４１】
図３に示すように、制御部１０２は、タッチパネル１１４を介して、画面表示部１０２ａにより当該タッチパネル１１４に表示された電子メール送信用の画面領域（操作画面）上におけるテキスト入力域（テキスト入力フィールド）がユーザにより選択操作（例えば、タップ操作等）された場合、当該テキスト入力域の選択指示を検知する（ステップＳＢ−１）。
【００４２】
ここで、本実施の形態における画面表示部１０２ａにより表示される電子メール送信用画面領域の一例について、図４を参照して詳細に説明する。図４は、本実施の形態における表示画面の一例を示す図である。
【００４３】
図４に示すように、画面表示部１０２ａは、テキスト入力域（宛先、Ｃｃ（カーボンコピー）、Ｂｃｃ（ブラインドカーボンコピー）、送信元、表題、添付ファイル名称、および本文）、スキャンキャンセルアイコン１０、スキャン設定セレクタアイコン１１、スキャンビューアセレクタアイコン１２、および、スキャン開始アイコン１３を含む画面領域、ヘルプアイコン１４、ならびに、キーボード画面表示アイコン１５をタッチパネル１１４に表示させている。ここで、「宛先」、「Ｃｃ」、「Ｂｃｃ」、および「送信元」のテキスト入力域には、電子メールアドレスの文字情報が入力されてもよい。また、「添付ファイル名称」のテキスト入力域には、電子メール送信時に添付される、画像読取部１１２にて読み取られた原稿の画像ファイル（スキャンデータ）のファイル名称の文字情報が入力されてもよい。
【００４４】
図３に戻り、制御部１０２は、キーボード表示部１０２ｂによりキーボード画面（ソフトキーボード）がタッチパネル１１４に既に表示されているか否か判定する（ステップＳＢ−２）。
【００４５】
そして、キーボード表示部１０２ｂは、ステップＳＢ−２にて制御部１０２によりキーボード画面がタッチパネル１１４に表示されていないと判定された場合（ステップＳＢ−２：Ｎｏ）、キーボード画面をタッチパネル１１４の下端側に表示させる（ステップＳＢ−３）。
【００４６】
ここで、本実施の形態におけるキーボード表示部１０２ｂにより表示されるキーボード画面の一例について、図５を参照して詳細に説明する。図５は、本実施の形態における表示画面の一例を示す図である。
【００４７】
図５に示すように、キーボード表示部１０２ｂは、キーボード画面をタッチパネル１１４の下端側に表示させている。ここで、キーボード表示部１０２ｂは、キーボード画面をタッチパネル１１４の下端側に画面領域に重畳させて表示させる場合等、半透明表示したキーボード画面を表示させてもよい。ここで、図５に示すように、キーボード表示部１０２ｂは、キーボード画面表示アイコン１５に代えて、キーボード画面表示解除アイコン１６をタッチパネル１１４に表示させていてもよい。
【００４８】
一方、図３に戻り、制御部１０２は、ステップＳＢ−２にてキーボード画面がタッチパネル１１４に既に表示されていると判定した場合（ステップＳＢ−２：Ｙｅｓ）、ステップＳＢ−１にて選択指示を検知したテキスト入力域が前回選択指示を検知したテキスト入力域と違う箇所か否か判定する（ステップＳＢ−４）。
【００４９】
そして、制御部１０２は、ステップＳＢ−４にて選択指示を検知したテキスト入力域が前回検知したテキスト入力域と違う箇所ではないと判定した場合（ステップＳＢ−４：Ｎｏ）、処理をステップＳＢ−１０へ移行させる。
【００５０】
一方、制御部１０２は、ステップＳＢ−３にてキーボード表示部１０２ｂによりキーボード画面がタッチパネル１１４の下端側に表示された場合、または、ステップＳＢ−４にて選択指示を検知したテキスト入力域が前回検知したテキスト入力域と違う箇所であると判定した場合（ステップＳＢ−４：Ｙｅｓ）、ステップＳＢ−１にて選択指示を検知したテキスト入力域が画面領域を上端帯、中央帯、および、下端帯の３つの表示区画に分割した場合の上端帯にあるか否か判定する（ステップＳＢ−５）。
【００５１】
ここで、本実施の形態におけるテキスト入力域の座標域に対応する画面領域の表示領域の一例について、図６および図７を参照して詳細に説明する。図６は、本実施の形態における画面領域のフィールド区画の一例を示す概念図である。図７は、本実施の形態におけるテキスト入力域の座標域に対応する表示領域の一例を示す図である。
【００５２】
図６に示すように、タッチパネル１１４上でテキスト入力域１乃至５を含む画面領域（フィールド）は、テキスト入力域１および２を含む上端帯、テキスト入力域３を含む中央帯、ならびに、テキスト入力域４および５を含む下端帯に区分けされている（画面分割表示方式）。例えば、図７の対応表左側に示すように、画面領域スクリーンの高さが７６８画素の場合、テキスト入力域の座標域（画面領域のフィールド区分け）は、上端帯が画面領域最上端の０画素から３５２画素、中央帯が３５２画素から４１６画素、および、下端帯が４１６画素から画面領域最下端の７６８画素の領域に設定されている。そして、図７の対応表右側に示すように、ユーザにより選択されたテキスト入力域の座標が０画素から３５２画素の座標域（上端帯）にある場合（例えば、図６のテキスト入力域１または２）、０画素から３８４画素の画面領域がタッチパネル１１４の上側領域に表示され、キーボード画面が残りのタッチパネル１１４の下側領域に表示されることになる。また、図７の対応表右側に示すように、ユーザにより選択されたテキスト入力域の座標が３５２画素から４１６画素の座標域（中央帯）にある場合（例えば、図６のテキスト入力域３）、１９２画素から５７６画素の画面領域がタッチパネル１１４の上側領域にせり上がり表示され、キーボード画面が残りのタッチパネル１１４の下側領域に表示されることになる。また、図７の対応表右側に示すように、ユーザにより選択されたテキスト入力域の座標が４１６画素から７６８画素の座標域（下端帯）にある場合（例えば、図６のテキスト入力域４または５）、３８４画素から７６８画素の画面領域がタッチパネル１１４の上側領域にせり上がり表示され、キーボード画面が残りのタッチパネル１１４の下側領域に表示されることになる。なお、前述及び後述のせり上がり表示は、上記のように表示される過程において、ユーザにより選択されたテキスト入力域を含む画面領域の一部およびキーボード画面を、タッチパネル１１４のそれぞれの所定の表示領域に配置されるまで、それぞれの表示領域の遷移状態が連続的に表示されるようにしてもよい。
【００５３】
また、図７の対応表左側において、画面領域の当該フィールド区分けは、例えば、画面領域の中央部にテキスト入力域などが集中している等の場合、上端帯を画面領域最上端の０画素から１９２画素、中央帯を１９２画素から５７６画素、および、下端帯を５７６画素から画面領域最下端の７６８画素の座標域に、中央帯が広めになるように設定してもよい。
【００５４】
図３に戻り、キーボード表示部１０２ｂは、ステップＳＢ−５にて制御部１０２により選択指示を検知したテキスト入力域が画面領域の上端帯にあると判定された場合（ステップＳＢ−５：Ｙｅｓ）、当該テキスト入力域を含む画面領域を（レイアウト上端帯モードで）タッチパネル１１４の上端側に、タッチパネル１１４の下端側に表示されたキーボード画面と並べて表示（入力フィールド自動フォーカス制御）し（ステップＳＢ−６）、処理をステップＳＢ−１０へ移行させる。つまり、テキスト入力域が上端帯近辺にある場合、常に上端帯をベースとするレイアウト表示とする事で、ユーザが入力しやすい表示状態を保つようにしてもよい。
【００５５】
ここで、本実施の形態におけるレイアウト上端帯（レイアウトトップ）モードの一例について、図５を参照して詳細に説明する。
【００５６】
図５に示すように、キーボード表示部１０２ｂは、タッチパネル１１４を介して当該タッチパネル１１４に表示された画面領域上における「宛先」のテキスト入力域がユーザにより選択操作された場合、レイアウトトップモードで表示される。例えば、キーボード表示部１０２ｂは、「宛先」のテキスト入力域にフォーカスが当たった事を検知した場合、画面領域の移動を行わずに上端の「電子メール送信」タイトルが表示されたままの状態で、キーボード画面（ソフトウェアキーボード）をタッチパネル１１４の下端に表示させてもよい。また、キーボード表示部１０２ｂは、例えば、「宛先」のテキスト入力域にフォーカスがある状態でキーボード画面がユーザにより押下された場合、画面領域の移動を行わずに上端の「電子メール送信」タイトルが表示されたままの状態で、キーボード画面をタッチパネル１１４の下端にせり上がり表示させてもよい。なお、キーボード画面の表示が解除された（終了した）場合、画面領域の移動は行われない。
【００５７】
一方、図３に戻り、制御部１０２は、ステップＳＢ−５にて選択指示を検知したテキスト入力域が画面領域の上端帯に無いと判定した場合（ステップＳＢ−５：Ｎｏ）、ステップＳＢ−１にて選択指示を検知したテキスト入力域が画面領域を上端帯、中央帯、および、下端帯の３つの表示区画に分割した場合の中央帯にあるか否か判定する（ステップＳＢ−７）。
【００５８】
そして、キーボード表示部１０２ｂは、ステップＳＢ−７にて制御部１０２により選択指示を検知したテキスト入力域が画面領域の中央帯にあると判定された場合（ステップＳＢ−７：Ｙｅｓ）、当該テキスト入力域を含む画面領域を（レイアウト中央帯モードで）タッチパネル１１４の上端側に、タッチパネル１１４の下端側に表示されたキーボード画面と並べて表示（入力フィールド自動フォーカス制御）し（ステップＳＢ−８）、処理をステップＳＢ−１０へ移行させる。つまり、テキスト入力域が中央帯近辺にある場合、常に中央帯をベースとするレイアウト表示とする事で、ユーザが入力しやすい表示状態を保つようにしてもよい。
【００５９】
ここで、本実施の形態におけるレイアウト中央帯（レイアウトセンター）モードの一例について、図８を参照して詳細に説明する。図８は、本実施の形態における表示画面の一例を示す図である。
【００６０】
図８に示すように、キーボード表示部１０２ｂは、タッチパネル１１４を介して当該タッチパネル１１４に表示された画面領域上における「表題」のテキスト入力域がユーザにより選択操作された場合、レイアウトセンターモードで表示される。例えば、キーボード表示部１０２ｂは、タッチパネル１１４を介して「表題」のテキスト入力域にフォーカスが当たった事を検知した場合、「表題」を含むテキスト入力域をタッチパネル１１４の上側領域に、キーボード画面をタッチパネル１１４の下側領域に表示することとし、その過程はせり上がり表示させてもよい。また、キーボード表示部１０２ｂは、例えば、「表題」のテキスト入力域にフォーカスがある状態でキーボード画面がユーザにより押下された場合、「表題」を含むテキスト入力域をタッチパネル１１４の上側領域に、キーボード画面をタッチパネル１１４の下側領域に表示することとし、その過程はせり上がり表示させてもよい。つまり、本実施の形態では、キーボード画面と重なる入力対象部分を含む画面領域の下部領域にキーボード画面を重畳表示（上書き）させずに、画面領域の入力対象部分をせり上がらせるように移動させて表示する「せり上がり表示」を行っている。なお、キーボード画面の表示が解除された（終了した）場合、画面領域は移動前（前回）の表示位置（通常表示モード）へ戻しても（移動しても）よい。また、キーボード画面の表示は、キーボード画面表示アイコン１５の選択操作（例えば、タッチ操作または押下等）によってなされてもよい。
【００６１】
一方、図３に戻り、キーボード表示部１０２ｂは、ステップＳＢ−７にて制御部１０２により選択指示を検知したテキスト入力域が画面領域の中央帯に無いと判定された場合（ステップＳＢ−７：Ｎｏ）、当該テキスト入力域を含む画面領域を（レイアウト下端帯モードで）タッチパネル１１４の上端側に、タッチパネル１１４の下端側に表示されたキーボード画面と並べて表示（入力フィールド自動フォーカス制御）する（ステップＳＢ−９）。つまり、テキスト入力域が下端帯近辺にある場合、常に下端帯をベースとするレイアウト表示とする事で、ユーザが入力しやすい表示状態を保つようにしてもよい。
【００６２】
ここで、本実施の形態におけるレイアウト下端帯（レイアウトボトム）モードの一例について、図９を参照して詳細に説明する。図９は、本実施の形態における表示画面の一例を示す図である。
【００６３】
図９に示すように、キーボード表示部１０２ｂは、タッチパネル１１４を介して当該タッチパネル１１４に表示された画面領域上における「本文」のテキスト入力域がユーザにより選択操作された場合、レイアウトボトムモードで表示される。例えば、キーボード表示部１０２ｂは、「本文」のテキスト入力域にフォーカスが当たった事を検知した場合、「本文」を含むテキスト入力域をタッチパネル１１４の上側領域に、キーボード画面をタッチパネル１１４の下側領域に表示することとし、その過程はせり上がり表示させてもよい。また、キーボード表示部１０２ｂは、例えば、「本文」のテキスト入力域にフォーカスがある状態でキーボード画面がユーザにより押下された場合、「本文」を含むテキスト入力域をタッチパネル１１４の上側領域に、キーボード画面をタッチパネル１１４の下側領域に表示することとし、その過程はせり上がり表示させてもよい。なお、キーボード画面の表示が解除された（終了した）場合、画面領域は移動前（前回）の表示位置（通常表示モード）へ戻しても（移動しても）よい。
【００６４】
図３に戻り、テキスト入力域更新部１０２ｃは、タッチパネル１１４を介してキーボード画面を用いて文字情報がユーザにより入力された場合、テキスト入力域の表示を当該文字情報に更新し（ステップＳＢ−１０）、処理を終了する。
【００６５】
［処理２］
次に、本実施の形態の画像ファイルの保存場所名称設定時における本画像読取装置１００の処理の一例について、以下に図１０乃至図１３を参照して詳細に説明する。図１０は、本実施の形態における画像読取装置１００の処理の一例を示すフローチャートである。
【００６６】
図１０に示すように、画面表示部１０２ａは、ユーザが入力可能なテキスト入力域（文字列入力位置）を含む画面領域（操作画面）をタッチパネル１１４に表示させる（ステップＳＣ−１）。
【００６７】
ここで、図１１を参照して、本実施の形態におけるタッチパネル１１４に表示される画面領域の一例について説明する。図１１は、本実施形態における表示画面の一例を示す図である。
【００６８】
図１１に示すように、画面表示部１０２ａは、画像読取部１１２にて読み取られた原稿の画像ファイルの格納先である保存場所情報記憶部１０６ａに記憶された保存場所（ドロア）を示す保存場所アイコンの一覧（ドロアアイコン）をタッチパネル１１４に表示させている。具体的には、画面表示部１０２ａは、タッチパネル１１４に縦横３列合計９つのドロア(引き出し)をイメージにしたドロアアイコン（ドロア＿０１乃至ドロア＿０９）を表示させている。
【００６９】
図１０に戻り、制御部１０２は、タッチパネル１１４を介して、画面表示部１０２ａにより当該タッチパネル１１４に表示された画面領域に含まれるテキスト入力域がユーザにより選択操作（例えば、タップ操作等）された場合、当該テキスト入力域の選択指示（文字列入力イベント）を検知する（ステップＳＣ−２）。
【００７０】
そして、制御部１０２は、タッチパネル１１４に表示された画面領域に含まれるテキスト入力域とキーボード画面（キーボードイメージ）表示（予定）位置（例えば、タッチパネル１１４の下端側等）とが重なるか否かを判定する（ステップＳＣ−３）。
【００７１】
そして、制御部１０２は、タッチパネル１１４に表示された画面領域に含まれるテキスト入力域とキーボード画面表示（予定）位置とが重ならないと判定した場合（ステップＳＣ−３：Ｎｏ）、処理をステップＳＣ−６へ移行させる。
【００７２】
一方、制御部１０２は、タッチパネル１１４に表示された画面領域に含まれるテキスト入力域とキーボード画面表示（予定）位置とが重なると判定した場合（ステップＳＣ−３：Ｙｅｓ）、テキスト入力域とキーボード画面表示（予定）位置とが重ならない方向および画面移動量を計算する（ステップＳＣ−４）。
【００７３】
そして、キーボード表示部１０２ｂは、ステップＳＣ−４にて計算した方向および画面移動量に合わせてテキスト入力域を含む画面領域の一部をタッチパネル１１４の上端側に移動表示させる（ステップＳＣ−５）。
【００７４】
そして、キーボード表示部１０２ｂは、タッチパネル１１４の上端側に表示されたテキスト入力域を含む画面領域の一部と並べて、キーボード画面をタッチパネル１１４の下端側に表示させ、タッチパネル１１４を介してキーボード画面を用いて文字情報（文字列）をユーザに入力させる（ステップＳＣ−６）。すなわち、キーボード表示部１０２ｂは、例えば、画面領域の指定箇所に名前などの文字列を入力する状態になった際、画面領域の一部にキーボード画面を表示(例えば画面下半分に表示)する。そこで、キーボード表示部１０２ｂは、キーボード画面により文字列を入力する指定箇所が隠れてしまう場合(例えば、画面領域の下の方に指定箇所がある場合)、指定箇所がキーボード画面で隠れてしまわないように指定箇所を自動的に重ならない位置にずらして表示させ、隠れないようにしている。また、例えば、ドロアアイコンを表示した画面領域において、ドロアアイコンの前面にはドロアの内容を識別するための名前を入力するテキスト入力域がある。そして、キーボード表示部１０２ｂは、ドロアアイコンの名前を入力または変更する際、文字入力するためのキーボード画面を表示させ、キーボード画面をユーザにタッチさせることで名前の変更等をさせている。
【００７５】
ここで、図１２および図１３を参照して、本実施の形態におけるタッチパネル１１４に表示される画面領域の一例について説明する。図１２および図１３は、本実施形態における表示画面の一例を示す図である。
【００７６】
図１２に示すように、タッチパネル１１４を介してテキスト検索を行うテキスト入力域がユーザにより選択操作された場合、当該テキスト入力域とキーボード画面表示位置とは重ならない。そのため、キーボード表示部１０２ｂは、タッチパネル１１４の上端側に初期表示時のまま画面領域を表示し、キーボード画面をタッチパネル１１４の下端側に表示させている。図１２において、ドロアアイコンが縦横３行３列合計９つ表示され、キーボード画面がタッチパネル１１４の下側半分を占めて表示されているため、テキスト検索を行うテキスト入力域および最上段のドロアアイコンはキーボード画面で隠れない。そのため、画面領域上にそのままキーボード画面を重ねて表示しても、キーボード入力中でもタッチパネル１１４に表示されたドロアアイコンに、入力中の文字を表示させることができる。
【００７７】
また、図１３に示すように、タッチパネル１１４を介してドロア＿０７のテキスト入力域がユーザにより選択操作された場合、当該テキスト入力域とキーボード画面表示位置とは重なる。そのため、キーボード表示部１０２ｂは、タッチパネル１１４の上端側にドロア＿０７のテキスト入力域を含む画面領域の下端帯を移動させて表示し、キーボード画面をタッチパネル１１４の下端側に表示している。図１３において、真ん中２行目および一番下３行目のドロアアイコンのテキスト入力域にドロアの名前を入力する場合、テキスト入力域がキーボード画面の表示により重なって見えなくなってしまう。そのため、真ん中２行目のドロアアイコンのテキスト入力域にドロアの名前を入力する場合は一つのドロアアイコン分上に画面領域を移動させて表示させてもよい。また、一番下３行目のドロアアイコンのテキスト入力域にドロアの名前を入力する場合は、二つのドロアアイコン分上に画面領域を移動させて表示させてもよい。これにより、テキスト入力域をキーボード画面と重ならないように表示させ、キーボード入力中でもタッチパネル１１４に表示されたドロアアイコンに、入力中の文字を表示させることができる。また、テキスト入力域の表示は、上下に移動してキーボード画面と重ならないようにするだけでなく、左右に移動してキーボード画面と重ならないようにしてもよい。
【００７８】
また、本実施の形態において、キーボード表示部１０２ｂは、背景となるドロアアイコンの位置を移動させるのではなく、重ねて表示されるキーボード画面を半透明表示させ、テキスト入力域とキーボード画面とが重なっていても、その内容を確認しつつ文字列入力をできるようにしてもよい。また、テキスト入力域（文字列表示）の表示位置の移動は、ドロアの名前以外にもフォルダの名前および画像に付随する情報(例えば、検索用の文字など)をユーザが入力する場合においても同様に、キーボード画面により隠れてしまうことを検知して自動的に行ってもよい。
【００７９】
すなわち、本実施の形態においては、タッチパネル１１４においてキーボード画面が画面領域の下側に表示される場合であって、名前を入力するドロアアイコンも画面領域の下の方にある場合、キーボード画面によりそのドロアアイコンが隠れて見えなくなってしまう。そこで、文字列入力するイベントが発生した際、画面領域上でのその位置を検知して、その位置がキーボード画面により隠れてしまう場合には、文字列入力する位置が隠れてしまわない位置に画面領域の表示をずらして表示し、キーボード画面と入力中の文字列が視認可能な状態で表示されることを両立できるようしている。
【００８０】
図１０に戻り、テキスト入力域更新部１０２ｃは、ステップＳＣ−６にてタッチパネル１１４を介してキーボード画面を用いて文字列が入力された場合、文字列入力イベントの完了を検知し（ステップＳＣ−７）、テキスト入力域の表示を当該文字列に更新する。
【００８１】
そして、制御部１０２は、キーボード画面の表示を消去する（ステップＳＣ−８）。
【００８２】
そして、制御部１０２は、タッチパネル１１４に表示された画面領域に含まれるテキスト入力域とキーボード画面表示位置とが重なっていたか否かを判定する（ステップＳＣ−９）。
【００８３】
そして、制御部１０２は、ステップＳＣ−９にて画面領域に含まれるテキスト入力域とキーボード画面表示位置とが重なっていなかったと判定した場合（ステップＳＣ−９：Ｎｏ）、処理を終了する。
【００８４】
一方、画面表示部１０２ａは、ステップＳＣ−９にて画面領域に含まれるテキスト入力域とキーボード画面表示位置とが重なっていたと判定した場合（ステップＳＣ−９：Ｙｅｓ）、保持していた画面移動量（例えば、ステップＳＣ−５にてキーボード表示部１０２ｂにより移動表示させられた画面移動量等）にあわせて画面領域を元の位置へ戻すようにタッチパネル１１４に移動表示させ（ステップＳＣ−１０）、処理を終了する。つまり、文字列入力後、キーボード画面を消すと共にドロアアイコンの表示も元の位置に移動させられる。
【００８５】
以上で、本画像読取装置１００の処理の説明を終える。
【００８６】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【００８７】
例えば、画像読取装置１００がスタンドアローンの形態で処理を行う場合を一例に説明したが、画像読取装置１００は、クライアント端末（画像読取装置１００とは別筐体である）からの要求に応じて処理を行い、その処理結果を当該クライアント端末に返却するようにしてもよい。
【００８８】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００８９】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００９０】
また、画像読取装置１００に関して、図示の各構成要素は機能概念的なものであり、必ずしも物理的に図示の如く構成されていることを要しない。
【００９１】
例えば、画像読取装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて画像読取装置１００に機械的に読み取られる。すなわち、ＲＯＭまたはＨＤなどの記憶部１０６などには、各種処理を行うためのコンピュータプログラムが記録されている。このコンピュータプログラムは、ＲＡＭにロードされることによって実行され、ＣＰＵと協働して制御部を構成する。
【００９２】
また、このコンピュータプログラムは、画像読取装置１００に対して任意のネットワークを介して接続されたアプリケーションプログラムサーバに記憶されていてもよく、必要に応じてその全部または一部をダウンロードすることも可能である。
【００９３】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【００９４】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００９５】
記憶部１０６に格納される各種のデータベース等（保存場所情報記憶部１０６ａ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００９６】
また、画像読取装置１００は、既知のパーソナルコンピュータ、ワークステーション等の情報処理装置として構成してもよく、また、該情報処理装置に任意の周辺装置を接続して構成してもよい。また、画像読取装置１００は、該情報処理装置に本発明の方法を実現させるソフトウェア（プログラム、データ等を含む）を実装することにより実現してもよい。
【００９７】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００９８】
以上詳述に説明したように、本発明によれば、テキスト入力域をユーザが視認できる位置に表示させながら、ソフトウェアキーボード画面を適切な位置に表示させることができる画像読取装置、画像処理方法、および、プログラムを提供することができ、画像処理などの様々な分野において極めて有用である。
【符号の説明】
【００９９】
１０  スキャンキャンセルアイコン
１１  スキャン設定セレクタアイコン
１２  スキャンビューアセレクタアイコン
１３  スキャン開始アイコン
１４  ヘルプアイコン
１５  キーボード画面表示アイコン
１６  キーボード画面表示解除アイコン
１００  画像読取装置
１０２  制御部
１０２ａ  画面表示部
１０２ｂ  キーボード表示部
１０２ｃ  テキスト入力域更新部
１０６  記憶部
１０６ａ  保存場所情報記憶部
１０８  入出力制御インターフェース部
１１２  画像読取部
１１４  タッチパネル
【図１】
0005634135.tif 000002
【図２】
0005634135.tif 000003
【図３】
0005634135.tif 000004
【図４】
0005634135.tif 000005
【図５】
0005634135.tif 000006
【図６】
0005634135.tif 000007
【図７】
0005634135.tif 000008
【図８】
0005634135.tif 000009
【図９】
0005634135.tif 000010
【図１０】
0005634135.tif 000011
【図１１】
0005634135.tif 000012
【図１２】
0005634135.tif 000013
【図１３】
0005634135.tif 000014